(57)【要約】【課題】製氷容器から直接に氷を取り出すことが出来る製氷容器を提供する。【解決手段】製氷容器に対する蓋本体に設けられた新しい突起により出来る氷の形態により容器から直接に取り出す事が出来る氷を形成する。【選択図】図１
2019117040.tif 000002
【特許請求の範囲】
【請求項１】
複数個の氷を生成する容器本体と該容器本体の蓋体とから成る製氷容器であって、前記容器本体内に形成した複数の格子状の仕切板を備え、前記蓋体の内側に複数の格子状の突起物を有した前記蓋体と、前記蓋体の前記格子状の突起物は、前記容器本体に形成した前記仕切板によって仕切られた複数の個室を形成し、前記突起物は前記個室に対応して内挿されて載置することを特徴とする製氷器。
【請求項２】
前記蓋本体に設けられた突起物の形状はテーパー状に形成したことを特徴とする請求項１に記載の製氷容器。
【請求項３】
前記容器本体内の仕切板４は、少なくとも一箇所は他の前記容器の底面から上方向に向かっての高さ寸法が高いことを特徴とする請求項１〜２記載の製氷容器。
【請求項４】
前記蓋体と前記容器本体を軟質素材で形成し、前記蓋本体を撓ませて前記容器本体から離脱可能とした請求項１〜３記載の製氷容器。
【発明の詳細な説明】
【技術分野】
【０００１】  本発明は一般家庭において日常使う家庭用の氷を製作するのに好適な製氷容器に関する。
【背景技術】
【０００２】  一般家庭用の冷蔵庫で氷を製作する場合には、専用の製氷容器や小さな容器等に水等の液体を入れて、冷凍室に入れて氷を作ることが一般的に行われるが、製氷容器から１個または２個以上の氷塊を任意で取り出す場合は製氷容器から全てを別の容器に移さなければならなかった。
【先行技術文献】
【特許文献】
【０００３】
【特許文献１】特開２０１２−６８００３（Ｐ２０１２−６８００３Ａ）
【特許文献２】特開２００６−２３８７５０（Ｐ２００６−２３８７５０Ａ）
【特許文献３】特開平１０−３０８６４
【特許文献４】特開２００１−０４１６２４
【発明の概要】
【発明が解決しようとする課題】
【０００４】  一般家庭の家庭で使われる製氷容器は水等の液体を容器に注いで製氷していた。【０００５】  ところで、一般家庭の冷蔵庫で製氷された氷の氷塊を任意で１個または２個以上の氷を製氷容器から外す場合には、冷凍容器を手で撓めて容器と氷間に隙間を形成して密着を外し、他の容器に氷を完全に移してから使用していた。そのため、冷凍容器から１個または２個以上の氷塊を直接に容器から取り出すのに時間がかかり困難であった。【０００６】  一般家庭の冷蔵庫内で作られる氷を１個または２個以上複数の氷塊を製氷容器から直接取り出す事が可能になる製氷容器を提供することにあり、容器内の任意の場所に、より高い仕切板４を設けることによって互いに異なる水などの液体を注ぐことができるので異なる氷を作ることもできる。
【課題を解決するための手段】
【０００７】  容器本体内には複数の格子状の仕切板を備えており、蓋体の内側に設けられた格子状の突起物は容器本体に形成した各個室に対応して内挿される製氷器であるが、この製氷容器は、容器本体と蓋本体とを対応させて使用し、容器本体内に水を注ぎ、蓋本体で蓋し、これを冷凍して氷を製造する製氷容器であって、前記蓋本体は容器本体に設けられた格子状に内設された個室に対となる突起を設け、容器本体から直接に氷塊を離脱形成するものである。【０００８】    やはり、一般家庭の製氷容器は、容器本体内に水などを充填し、容器本体に蓋本体で蓋し、これを一般家庭の冷蔵庫の冷凍室に入れて、氷を製造することになるが、この蓋本体に設けられた突起物の形状は容器本体個室のテーパー状に対応しており、突起部が容器本体内の水に浸漬され、容器本体内で製造される氷は蓋本体についた突起の形状により製造された氷塊を任意で取り外すことができることができる。【０００９】    ここで、前記蓋本体と前記容器本体を軟質素材で構成すると前記蓋本体を撓ませて前記容器本体から氷を離脱可能となすことが好ましい実施の形態である。前記蓋本体に設けられたそれぞれの突起により容器本体から氷を１個または２個以上複数の氷を取り外せるように構成することで、蓋体を軟質素材で構成すると、容器本体に対する嵌合強度も強くなるので好ましい。【００１０】    蓋本体に設けられた突起部を蓋本体に形成して作られた容器本体にできた氷をアイストングや指などを挿入可能な空間を形成して、氷取出用摘み部を形成することが好ましい実施の形態である。蓋本体に突起を設けてできた氷を取り出すための摘み形状を作ることによって、氷をアイストングや指で挟持できることにある。【００１１】    そのため、一般家庭の冷蔵庫で作られる冷凍容器の容器本体と蓋本体を軟質素材で構成することによって容器本体内にできた氷を容易に取り外す事が出来きる。例えば、冷蔵庫内で作った氷を家庭内のパーティなどで急に氷を使い場合にも製氷容器から直接に氷を取り出す事も可能である。
【発明の効果】
【００１２】    本発明に係る製氷容器によれば、容器本体内にて製造した氷を蓋本体から容器本体から外すことによってできた氷を、１個または２個以上複数の氷を自由に容器本体から取り外す事が容易になり、アイストングや手によって製氷容器から直接取り出す事ができる事が可能で、短時間で作業ができることになる。しかも、容器本体の任意の場所に設けられた仕切板４によって隣り合う場所でできた氷を異なるものを作ることも容易である。
【図面の簡単な説明】
【００１３】
【図１】突起のついた蓋本体の下面斜視図
【図２】蓋本体の横断面図
【図３】製氷容器本体に蓋体を組み合わせた時の横断面図
【図４】蓋体の縦方面からの断面図
【図５】容器本体の縦方面からの断面図
【図６】容器本体に蓋本体を組み合わせた時の縦方面の断面図
【図７】容器本体の上からの平面図
【図８】容器本体の斜視図
【図９】蓋本体の斜視図
【図１０】容器本体からの氷の取り出しの図の想像図
【発明を実施するための形態】
【００１４】    以下、本発明の図面を参照しながら説明する。図１は、製氷容器の蓋本体の斜視図で、２ａは容器本体にある仕切板３（図３）にマッチするための溝である。２ｂの凹みは本体容器に蓋した時のズレを防ぐ部分である。
【００１５】    図２は蓋本体１の横からの断面図。図３は蓋本体１を容器本体６に蓋された時の断面図。また、容器本体に設けられた仕切板４を設置することによって隣り合う容器本体の各個室に異なる液体および水を注入することによって異なる氷を作ることもできる。それが仕切板３の高さより高いことを示しているのが▲イ▼の拡大断面図である。その断面図▲ア▼と断面図▲イ▼は容器本体６の仕切板３と仕切板４の高さの違いを示す拡大図である。５ａは容器本体に設けられた水漏れ防止部分（図６の拡大図▲ウ▼）。図４は蓋本体の縦断面図であり、７は容器本体６の各個室を示す。図３、図５、図６、図７で示す５は蓋本体１を受けるとめる凸であり、図５は容器本体の縦断面図。図６は容器本体６に蓋体１が蓋された断面図である。シルエットがその蓋部分を示す。図７は容器本体の上からの正面図。図８は容器本体の斜視図であり、図８が容器本体の斜視図。図９は蓋本体上からの斜視図であり、図１０が氷塊を取り出している予想図である。
【符号の説明】
【００１６】１    蓋本体                    ２    蓋本体に設けられた突起部
２ａ  蓋本体の突起間の溝        ２ｂ  蓋本体に設けられたズレ防止溝
３    仕切板                    ４    仕切板（請求項３に記載）
５    容器本体の蓋本体の受け部  ５ａ  容器本体の水位の目印
６    容器本体                  ７    容器本体の格子状の個室
【図１】
2019117040.tif 000003
【図２】
2019117040.tif 000004
【図３】
2019117040.tif 000005
【図４】
2019117040.tif 000006
【図５】
2019117040.tif 000007
【図６】
2019117040.tif 000008
【図７】
2019117040.tif 000009
【図８】
2019117040.tif 000010
【図９】
2019117040.tif 000011
【図１０】
2019117040.tif 000012